【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
第１のサイズのブロックに関連する１つまたは複数のパーティションパターンを含むパーティションパターンリストを構成することと、
前記パーティションパターンリストへのインデックスを受信することと、
前記受信された前記パーティションパターンリストへのインデックスに基づいて、前記第１のサイズの前記ブロックに関連するパーティションパターンを決定することと、
前記第１のサイズの前記ブロックに関連する前記決定されたパーティションパターンに基づいて、第２のサイズの深度ブロックに関するパーティションパターンを決定することと、ここにおいて、前記第２のサイズが前記第１のサイズよりも大きく、前記深度ブロックは、３次元（３Ｄ）ビデオコーディングのフレームワークにおける深度マップのブロックである、
前記第１のサイズの前記ブロックに関連する前記決定されたパーティションパターンを使用して前記第１のサイズの前記ブロックをイントラ予測復号することなく、前記深度ブロックに関する前記決定されたパーティションパターンに基づいて、前記深度ブロックをイントラ予測復号することと
を備える方法。
【請求項２】
前記第１のサイズのブロックに関連する前記パーティションパターンは、サイズ１６×１６のブロックに関連するパーティションパターンを備え、前記第２のサイズの前記深度ブロックに関する前記パーティションパターンを決定することは、サイズ１６×１６の前記ブロックに関連する前記決定されたパーティションパターンに基づいて、サイズ３２×３２の前記深度ブロックに関する前記パーティションパターンを決定することを備える、請求項１に記載の方法。
【請求項３】
前記深度ブロック内のサブブロックを識別する情報を受信することをさらに備え、前記サブブロックのサイズが前記第１のサイズであり、
前記第１のサイズのブロックに関連する前記パーティションパターンを決定することは、前記サブブロックに関する前記パーティションパターンを決定することを備え、
前記第２のサイズの前記深度ブロックに関する前記パーティションパターンを決定することは、前記サブブロックに関する前記決定されたパーティションパターンに基づいて、前記第２のサイズの前記深度ブロックに関する前記パーティションパターンを決定することを備える、請求項１に記載の方法。
【請求項４】
前記サブブロックに関する前記決定されたパーティションパターンに基づいて、前記第２のサイズの前記深度ブロックに関する前記パーティションパターンを決定することは、前記サブブロックに関する前記パーティションパターンの線形線を前記深度ブロックの境界まで拡張することを備え、得られる線形線が、前記深度ブロックに関する前記パーティションパターンを画定する、請求項３に記載の方法。
【請求項５】
前記第１のサイズの前記ブロックに関連する前記決定されたパーティションパターンは、前記第１のサイズの前記ブロックに関連する複数の線ベースのパーティションパターンからの線ベースのパーティションパターンを備え、前記深度ブロックに関する前記パーティションパターンは、２つのパーティションに前記深度ブロックを区分する前記深度ブロックに関する線ベースのパーティションパターンを備える、請求項１に記載の方法。
【請求項６】
前記第２のサイズの前記深度ブロックに関する前記パーティションパターンを決定することは、前記第２のサイズの前記深度ブロックに関する前記パーティションパターンを示す情報を受信することなく、前記第２のサイズの前記深度ブロックに関する前記パーティションパターンを決定することを備える、請求項１に記載の方法。
【請求項７】
ビデオデータを符号化する方法であって、
第１のサイズのブロックに関連する１つまたは複数のパーティションパターンを含むパーティションパターンリストを構成することと、
前記パーティションパターンリストに基づいて、前記第１のサイズの前記ブロックに関連するパーティションパターンを決定することと、
前記第１のサイズの前記ブロックに関連する前記決定されたパーティションパターンに基づいて、第２のサイズの深度ブロックに関するパーティションパターンを決定することと、ここにおいて、前記第２のサイズが前記第１のサイズよりも大きく、前記深度ブロックは、３次元（３Ｄ）ビデオコーディングのフレームワークにおける深度マップのブロックである、
前記第１のサイズの前記ブロックに関連する前記決定されたパーティションパターンを使用して前記第１のサイズの前記ブロックをイントラ予測符号化することなく、前記深度ブロックに関する前記決定されたパーティションパターンに基づいて、前記深度ブロックをイントラ予測符号化することと、
前記第１のサイズの前記ブロックに関連する前記決定されたパーティションパターンを識別する前記構成されたパーティションパターンリストへのインデックスをシグナリングすることと
を備え、ビデオデコーダは、前記深度ブロックをイントラ予測復号するために前記インデックスを使用する、方法。
【請求項８】
前記第１のサイズのブロックに関連する前記パーティションパターンは、サイズ１６×１６のブロックに関連するパーティションパターンを備え、前記第２のサイズの前記深度ブロックに関する前記パーティションパターンを決定することは、サイズ１６×１６の前記ブロックに関連する前記決定されたパーティションパターンに基づいて、サイズ３２×３２の前記深度ブロックに関する前記パーティションパターンを決定することを備える、請求項７に記載の方法。
【請求項９】
前記第１のサイズの前記ブロックに関連する前記パーティションパターンを決定することは、前記構成されたパーティションパターンリストにおいて識別されたパーティションパターンから、前記第１のサイズの前記ブロックに関連する前記パーティションパターンを決定することを備える、請求項７に記載の方法。
【請求項１０】
前記深度ブロック内のサブブロックを識別することをさらに備え、前記サブブロックのサイズが前記第１のサイズであり、
前記第１のサイズの前記ブロックに関連する前記パーティションパターンを決定することは、前記識別されたサブブロックに関する前記パーティションパターンを決定することを備え、
前記第２のサイズの前記深度ブロックに関する前記パーティションパターンを決定することは、前記識別されたサブブロックに関する前記決定されたパーティションに基づいて、前記第２のサイズの前記深度ブロックに関する前記パーティションパターンを決定することを備える、請求項７に記載の方法。
【請求項１１】
前記識別されたサブブロックに関する前記決定されたパーティションパターンに基づいて、前記第２のサイズの前記深度ブロックに関する前記パーティションパターンを決定することは、前記識別されたサブブロックに関する前記パーティションパターンの線形線を前記深度ブロックの境界まで拡張することを備え、得られる線形線が、前記深度ブロックに関する前記パーティションパターンを画定する、請求項１０に記載の方法。
【請求項１２】
前記第１のサイズの前記ブロックに関連する前記パーティションパターンは、前記第１のサイズの前記ブロックに関連する複数の線ベースのパーティションパターンからの線ベースのパーティションパターンを備え、前記深度ブロックに関する前記パーティションパターンは、２つのパーティションに前記深度ブロックを区分する前記深度ブロックに関する線ベースのパーティションパターンを備える、請求項７に記載の方法。
【請求項１３】
ビデオコーディングのためのデバイスであって、
第１のサイズのブロックに関連する１つまたは複数のパーティションパターンを記憶するビデオデータメモリと、
１つまたは複数のプロセッサを備えるビデオコーダと
を備え、前記ビデオコーダは、
前記第１のサイズの前記ブロックに関連する前記１つまたは複数のパーティションパターンを含むパーティションパターンリストを構成することと、
前記パーティションパターンリストに基づいて、前記記憶された１つまたは複数のパーティションパターンから、前記第１のサイズの前記ブロックに関連するパーティションパターンを決定することと、ここにおいて、前記パーティションパターンリスト中の前記パーティションパターンは、前記パーティションパターンリスト中のインデックスによって識別される、
前記第１のサイズの前記ブロックに関連する前記決定されたパーティションパターンに基づいて、第２のサイズの深度ブロックに関するパーティションパターンを決定することと、ここにおいて、前記第２のサイズが前記第１のサイズよりも大きく、前記深度ブロックは、３次元（３Ｄ）ビデオコーディングのフレームワークにおける深度マップのブロックである、
前記第１のサイズの前記ブロックに関連する前記決定されたパーティションパターンを使用して前記第１のサイズの前記ブロックをイントラ予測コーディングすることなく、前記深度ブロックに関する前記決定されたパーティションパターンに基づいて、前記深度ブロックをイントラ予測コーディングすることと
を行うように構成される、デバイス。
【請求項１４】
前記第１のサイズのブロックに関連する前記パーティションパターンは、サイズ１６×１６のブロック関連するパーティションパターンを備え、前記第２のサイズの前記深度ブロックは、サイズ３２×３２の深度ブロックを備え、前記ビデオコーダは、サイズ１６×１６の前記ブロックに関連する前記決定されたパーティションパターンに基づいて、サイズ３２×３２の前記深度ブロックに関する前記パーティションパターンを決定するように構成される、請求項１３に記載のデバイス。
【請求項１５】
前記ビデオコーダはビデオデコーダを備え、
前記ビデオデコーダは、
前記パーティションパターンリストへの前記インデックスを受信することを行うように構成され、
前記第１のサイズの前記ブロックに関連する前記パーティションパターンを決定するために、前記ビデオデコーダは、前記受信された前記パーティションパターンリストへのインデックスに基づいて、前記第１のサイズの前記ブロックに関連する前記パーティションパターンを決定するように構成され、
前記深度ブロックをイントラ予測コーディングするために、前記ビデオデコーダは、前記深度ブロックに関する前記決定されたパーティションパターンに基づいて、前記深度ブロックをイントラ予測復号するように構成される、請求項１３に記載のデバイス。
【請求項１６】
前記ビデオコーダはビデオデコーダを備え、
前記ビデオデコーダは、前記深度ブロック内のサブブロックを識別する情報を受信するように構成され、前記サブブロックのサイズが前記第１のサイズであり、
前記第１のサイズの前記ブロックに関連する前記パーティションパターンを決定するために、前記ビデオデコーダは、前記サブブロックに関する前記パーティションパターンを決定するように構成され、
前記第２のサイズの前記深度ブロックに関する前記パーティションパターンを決定するために、前記ビデオデコーダは、前記サブブロックに関する前記決定されたパーティションパターンに基づいて、前記第２のサイズの前記深度ブロックに関する前記パーティションパターンを決定するように構成される、請求項１３に記載のデバイス。
【請求項１７】
前記ビデオコーダはビデオデコーダを備え、
前記第２のサイズの前記深度ブロックに関する前記パーティションパターンを決定するために、前記ビデオデコーダは、前記第２のサイズの前記深度ブロックに関する前記パーティションパターンを示す情報を受信することなく、前記第２のサイズの前記深度ブロックに関する前記パーティションパターンを決定するように構成される、請求項１３に記載のデバイス。
【請求項１８】
前記ビデオコーダはビデオエンコーダを備え、
前記深度ブロックをイントラ予測コーディングするために、前記ビデオエンコーダは、前記深度ブロックに関する前記決定されたパーティションパターンに基づいて、前記深度ブロックをイントラ予測符号化するように構成される、請求項１３に記載のデバイス。
【請求項１９】
前記ビデオエンコーダは、前記第１のサイズの前記ブロックに関連する前記決定されたパーティションパターンを識別する前記構成されたパーティションパターンリストへの前記インデックスをシグナリングするように構成され、ビデオデコーダが、前記深度ブロックをイントラ予測復号するために前記インデックスを使用する、請求項１８に記載のデバイス。
【請求項２０】
前記ビデオコーダはビデオエンコーダを備え、
前記ビデオエンコーダは、前記深度ブロック内のサブブロックを識別するように構成され、前記サブブロックのサイズが前記第１のサイズであり、
前記第１のサイズの前記ブロックに関連する前記パーティションパターンを決定するために、前記ビデオエンコーダは、前記識別されたサブブロックに関する前記パーティションパターンを決定するように構成され、
前記第２のサイズの前記深度ブロックに関する前記パーティションパターンを決定するために、前記ビデオエンコーダは、前記識別されたサブブロックに関する前記決定されたパーティションに基づいて、前記第２のサイズの前記深度ブロックに関する前記パーティションパターンを決定するように構成される、請求項１３に記載のデバイス。
【請求項２１】
前記第１のサイズの前記ブロックに関連する前記パーティションパターンは、前記第１のサイズの前記ブロックに関連する複数の線ベースのパーティションパターンからの線ベースのパーティションパターンを備え、前記深度ブロックに関する前記パーティションパターンは、２つのパーティションに前記深度ブロックを区分する前記深度ブロックに関する線ベースのパーティションパターンを備える、請求項１３に記載のデバイス。
【請求項２２】
集積回路（ＩＣ）、マイクロコントローラ、ワイヤレスデバイス、デスクトップコンピュータ、ラップトップコンピュータ、タブレットコンピュータ、セットトップボックス、電話ハンドセット、テレビジョン、カメラ、ディスプレイデバイス、デジタルメディアプレーヤ、ビデオゲーム機、またはビデオストリーミングデバイスのうちの少なくとも１つを備える、請求項１３に記載のデバイス。
【請求項２３】
ビデオコーディングのためのデバイスの１つまたは複数のプロセッサによって実行されたときに、前記１つまたは複数のプロセッサに、
第１のサイズのブロックに関連する１つまたは複数のパーティションパターンを含むパーティションパターンリストを構成することと、
前記パーティションパターンリストに基づいて、前記第１のサイズの前記ブロックに関連するパーティションパターンを決定することと、ここにおいて、前記パーティションパターンリスト中の前記パーティションパターンは、前記パーティションパターンリスト中のインデックスによって識別される、
前記第１のサイズの前記ブロックに関連する前記決定されたパーティションパターンに基づいて、第２のサイズの深度ブロックに関するパーティションパターンを決定することと、ここにおいて、前記第２のサイズが前記第１のサイズよりも大きく、前記深度ブロックは、３次元（３Ｄ）ビデオコーディングのフレームワークにおける深度マップのブロックである、
前記第１のサイズの前記ブロックに関連する前記決定されたパーティションパターンを使用して前記第１のサイズの前記ブロックをイントラ予測コーディングすることなく、前記深度ブロックに関する前記決定されたパーティションパターンに基づいて、前記深度ブロックをイントラ予測コーディングすることと
を行わせる命令を記憶した非一時的コンピュータ可読記憶媒体。
【請求項２４】
前記第１のサイズの前記ブロックに関連する前記パーティションパターンは、サイズ１６×１６のブロックに関するパーティションパターンを備え、前記１つまたは複数のプロセッサに、前記第２のサイズの前記深度ブロックに関する前記パーティションパターンを決定することを行わせる前記命令は、前記１つまたは複数のプロセッサに、サイズ１６×１６の前記ブロックに関する前記決定されたパーティションパターンに基づいて、サイズ３２×３２の前記深度ブロックに関する前記パーティションパターンを決定することを行わせる命令を備える、請求項２３に記載の非一時的コンピュータ可読記憶媒体。
【請求項２５】
前記第１のサイズのブロックに前記関連する前記パーティションパターンは、前記第１のサイズの前記ブロックに関連する複数の線ベースのパーティションパターンからの線ベースのパーティションパターンを備え、前記深度ブロックに関する前記パーティションパターンは、２つのパーティションに前記深度ブロックを区分する前記深度ブロックに関する線ベースのパーティションパターンを備える、請求項２３に記載の非一時的コンピュータ可読記憶媒体。